(57)【要約】【課題】  電力供給を再開して電力量の積算値が変化した後でも、通信あるいは表示により電力供給を開始または遮断した時刻と電力量を得ることができる開閉装置付電力量計を得る。【解決手段】  負荷への電力供給の累積電力量を計測手段１により、また、現在時刻を計時手段２により計測して、負荷への電力供給は開閉手段６が開路又は閉路する開閉動作により制御する一方、制御手段７が開閉手段６からの信号に基づいて、計測手段１から累積電力量を、そして計時手段２から現在時刻を入手して記憶手段に記憶させるように構成した。【選択図】        図１
2006200915.tif 000002
【特許請求の範囲】
【請求項１】
負荷への電力供給の累積電力量を計測する計測手段と、
開路又は閉路する開閉動作により前記電力供給を制御する開閉手段と、
現在時刻を計測する計時手段と、
前記累積電力量及び前記現在時刻を記憶する記憶手段と、
前記開閉手段からの信号に基づいて、前記開路の直後又は前記閉路の直前の前記累積電力量及び前記現在時刻を前記記憶手段に記憶させる制御手段とを備えたことを特徴とする開閉器付電力量計。
【請求項２】
負荷への電力供給の累積電力量を計測する計測手段と、
開路又は閉路する開閉動作により前記電力供給を制御する開閉手段と、
現在時刻を計測する計時手段と、
前記累積電力量及び前記開閉動作があったことを示す開閉履歴を記憶する記憶手段と、
前記現在時刻に基づいて、所定の時間毎に前記累積電力量を計測された時刻が特定可能に前記記憶手段に記憶させ、かつ、前記開閉手段からの信号に基づいて、前記開閉動作の直前又は直後の前記累積電力量の記憶が特定可能に、前記開閉履歴を前記記憶手段に記憶させる制御手段とを備えたことを特徴とする開閉器付電力量計。
【請求項３】
記憶手段の記憶する累積電力量、現在時刻及び開閉履歴のうちのいずれか一つ又は複数の組み合わせを表示する表示手段をさらに備えたことを特徴とする請求項１又は請求項２のいずれかに記載の開閉器付電力量計。
【請求項４】
開閉手段を開閉動作させる指令を受信し、記憶手段の記憶する累積電力量、現在時刻及び開閉履歴の一部又は全部からなる確定検針情報を送信する通信手段をさらに備えたことを特徴とする請求項１又は請求項２のいずれかに記載の開閉器付電力量計。
【発明の詳細な説明】
【技術分野】
【０００１】
この発明は、負荷に供給される累積電力量を計測する電力量計に係り、特に、負荷に供給される電力を開閉する開閉装置を有する開閉装置付電力量計に関する。
【背景技術】
【０００２】
従来の開閉装置付電力量計は、負荷に供給される電力量を積算して計測する積算電力量計と、供給する電力を開閉する遮断器とを備え、必要により遮断器により需要家への電力供給を停止するように構成されている。（例えば特許文献１参照）
【０００３】
【特許文献１】特開平５−２０９８９８号公報（段落０００５及び０００６、図２）
【発明の開示】
【発明が解決しようとする課題】
【０００４】
需要家の入居又は退去に伴い電力供給を開始又は停止するが、従来の開閉装置付電力量計は以上のように構成されており、電力供給を開始するために遮断器を閉路する直前、又は電力供給を停止するために遮断器を開路した直後の累積電力量を、検針員が目視して記録しておく必要がある。電力供給を開始した後、又は電力供給を停止した場合でも、その後に遮断器を閉路して電力供給を再開した後は、以前の電力供給の開始又は停止の時点での累積電力量は、検針員の記録以外には確認する方法がなくなるため、視認や記録を誤った場合には適正な課金処理ができない。
【０００５】
また特に、通信機能を備えて遠隔操作により遮断器を開閉し、通信により累積電力量を収集する場合には、一旦、遮断器を閉路して電力供給を開始してしまうと、電力供給を開始した時点の累積電力量を現地で再度確認する方法がなくなるため、需要家に対して課金する場合に需要家の納得が得られないという課題があった。
【０００６】
この発明は、上述のような課題を解決するためになされたもので、電力供給を開始して累積電力量が変化した後でも、以前の電力供給の開始又は停止の時点での累積電力量を得ることができ、適正な課金処理ができる開閉装置付電力量計を得ることを目的とする。
【課題を解決するための手段】
【０００７】
この発明に係る開閉装置付電力量計は、負荷への電力供給の累積電力量を計測手段により、また、現在時刻を計時手段により計測して、負荷への電力供給は開閉手段が開路又は閉路する開閉動作により制御する一方、制御手段は開閉手段からの信号に基づいて、計測手段から累積電力量を、そして計時手段から現在時刻を入手して記憶手段に記憶させるように構成したものである。
【発明の効果】
【０００８】
この発明によれば、開閉手段が開閉動作したときの累積電力量及び現在時刻を記憶手段に記憶させるので、電力供給を再開して累積電力量が変化した後でも、記憶手段の記憶内容を参照することで、電力供給を開始又は遮断した時刻とそのときの累積電力量を得ることができ、適正な課金処理ができる。
【発明を実施するための最良の形態】
【０００９】
実施の形態１．
図１は、この発明の実施の形態１の開閉装置付電力量計のブロック図を示すものである。
図１において、開閉装置付電力量計１００は、負荷への電力供給の累積電力量を計測する計測手段１と、年月日時分秒の現在時刻を計測する計時手段２と、計測手段１が計測した累積電力量や需要家を特定する需要家情報などを記憶する記憶手段３と、計測手段１が計測した累積電力量や記憶手段３が記憶する需要家情報などを表示する表示手段４と、計時手段２が計時する現在時刻の修正や、表示手段４への表示項目の切替えなどの操作設定を行う設定手段５と、開路又は閉路する開閉動作により負荷への電力供給を制御する開閉手段６と、計測手段１、計時手段２、記憶手段３、表示手段４及び設定手段５を制御する制御手段７とから構成されている。
なお、開閉手段６を需要家が操作する可能性がある場合には、開閉手段６をカバー等に内蔵させ封印することにより、需要家が操作できない構造にすればその信頼性を確保することができる。
【００１０】
次に、以上のように構成された開閉装置付電力量計１００の動作について説明する。
負荷を持つ需要家に対して電力を供給している状態では、開閉装置付電力量計１００は、開閉手段６が閉路しており、電力供給側から開閉手段６を通して負荷側に電力が供給され、供給された累積電力量を計測手段１で計測し、現在時刻を計時手段２で計測して、累積電力量及び現在時刻を記憶手段３に記憶させるとともに、必要に応じて表示手段４に表示させる。
【００１１】
需要家が転居する場合には、電気料金を精算するために、検針員が開閉手段６を操作して負荷側への電力供給を停止する。このとき、開閉手段６からの信号に基づいて、制御手段７は、遮断した直後の累積電力量（以下、確定電力量と称す）を計測手段１から、年月日などの時刻（以下、確定時刻と称す）を計時手段２から入手して、記憶手段３に記憶させるとともに表示手段４に表示させる。検針員は、表示手段４に表示される確定電力量及び確定時刻を記録用紙等に記録して営業所に持ち帰り、所定の課金処理を行う。
【００１２】
また、需要家が入居する場合には、検針員は開閉手段６を操作して負荷側への電力供給を開始する。このとき、開閉手段６からの信号に基づいて、制御手段７は、電力供給を開始する直前の確定電力量を計測手段１から、確定時刻を計時手段２から入手して、記憶手段３に記憶させるとともに表示手段４に表示させる。検針員は、表示手段４に表示される確定電力量及び確定時刻を記録用紙等に記録して営業所に持ち帰り、課金処理に使用する。
【００１３】
なお、表示手段４に表示させる確定電力量や確定時刻は、累積電力量の現在値等と同一画面に表示しても良いし、複数の画面を具備させて別々に表示しても良い。また、画面をサイクリックに切り替えて表示させても良いし、設定手段５を操作することにより、表示内容毎に表示／非表示を切り替えることも可能である。さらにまた、確定時刻は、年月日でも月日でも月年月日時分でも電力会社が料金処理の運用上必要な情報であれば良い。
【００１４】
後日、料金請求に必要となる電力供給の開始時又は停止時の確定電力量を再確認する必要が生じた場合には、記憶手段３が記憶している確定電力量の表示手段４への表示内容を再度確認すれば良く、必要に応じて、需要家自身が表示手段４により確定電力量を確認することもできる。
【００１５】
なお、表示する確定電力量は開閉手段６を開路したときの値であるか、又は閉路したときの値であるかを識別できる内容を付加情報として表示すれば、その課金処理の信頼性は一層高くなる。
また、記憶手段３に記憶させ、表示手段４に表示する確定電力量及び確定時刻は、最新の１回だけでなく、最新から複数回の情報を記憶するよう構成しておけば、開閉手段６が開閉動作した履歴とともに把握することができ、課金処理の信頼性は一層高くなる。
また、確定電力量や確定時刻の記憶及び表示は、一定期間行った後、課金処理の運用上、必要がなくなった時点で消去又は非表示としてもよい。
【００１６】
以上のように、この発明の実施の形態１による開閉装置付電力量計によれば、需要家の入居又は転居により電力供給を開始又は停止したときの確定電力量及び確定時刻を、その後さらに電力供給の開始又は停止があった後にも得ることができ、適正な課金処理ができる。したがって、需要家に対して課金する場合に需要家の納得が得られる。
【００１７】
実施の形態２．
図２及び図３は、この発明の実施の形態２における記憶手段３の記憶内容の構成例を示す図である。
例えば、図２に示すように、計測手段１の計測した累積電力量の３０分毎の値８の１日分に、データレコード番号や年月日などの情報を含むヘッダ９を付加してレコード１０とする。この１日分毎のレコード１０の数日分を記憶手段３に記憶するよう構成しておく。
そして、開閉手段６を開閉動作させた場合には、図３に示すように、開閉動作があったことを示す記号を開閉履歴１１として追加して記憶させ、レコード１２を構成する。この構成例によれば、確定電力量は開閉履歴の直前又は直後の累積電力量の記憶から得ることができる。
【００１８】
なお、開閉履歴が蓄積して所定の記憶領域の大きさを超える場合には、最古日のデータを廃棄して最新日のデータを記憶するよう構成しておけば、開閉手段６による電力供給履歴と確定電力量を最新の数日間についていつでも確認できるため、課金処理の信頼性は一層高くなる。
【００１９】
なお、この実施の形態２の記憶の構成例は、所定時間毎の累積電力量及び開閉手段６が開閉動作したときの開閉履歴を記憶手段３に記憶させる一例として示したものであり、記憶手段３への記憶方法を限定するものではない。
【００２０】
実施の形態３．
図４は、この発明の実施の形態３の開閉装置付電力量計のブロック図を示すものである。
図４において、開閉装置付電力量計１０１は、制御手段７に接続して、電力会社の営業所との通信を可能にする通信手段１３を備える以外は、実施の形態１の開閉装置付電力量計１００と同様に構成される。
【００２１】
次に、以上のように構成された開閉装置付電力量計１０１の動作について説明する。
需要家が転居する場合には、電気料金の精算をするため、通信手段１３を介して図示しない営業所からの指令が制御手段７に送信される。この指令を受けた制御手段７は開閉手段６を開路させて電力供給を停止する。また、開閉手段６が開路した直後の確定電力量を計測手段１から、確定時刻を計時手段２からそれぞれ入手して記憶手段３に記憶させるとともに、記憶手段３に記憶させた確定電力量及び確定時刻を、予め記憶しておいた需要家を特定するための番号等と一緒に、確定検針情報として通信手段１３を介して営業所に送信する。営業所では、開閉装置付電力量計１０１から送信された確定検針情報に含まれる確定電力量などの情報に基づいて課金処理を行う。
【００２２】
需要家が入居する場合には、電力の供給開始時の累積電力量を確認するため、通信手段１３を介して営業所からの指令が制御手段７に送信される。この指令を受けた制御手段７は、計測手段１が計測する累積電力量を確定電力量として、計時手段２が計時する現在時刻を確定時刻として、それぞれ記憶手段３に記憶させるとともに、開閉手段６を閉路して電力供給を開始する。その後、制御手段７は、記憶手段３に記憶させた確定電力量及び確定時刻を、予め記憶しておいた需要家を特定するための番号等と一緒に、確定検針情報として通信手段１３を介して営業所に送信する。営業所では、開閉装置付電力量１０１から送信された確定検針情報に含まれる確定電力量等の情報に基づいて課金処理を行う。
【００２３】
なお、この実施の形態３では、営業所からの指令に基づいて、開閉手段６の動作に一連して確定電力量及び確定時刻を含む確定検針情報が自動発信されるものとして説明したが、開閉動作の指令と記憶内容の送信の指令とを別の指令として構成して、開閉手段６の開閉動作と、確定電力量及び確定時刻を含む確定検針情報の送信とを別の動作としてもよい。
【００２４】
また、後日、料金請求に必要となる電力供給の開始時又は停止時の確定電力量を再確認する必要が生じた場合には、営業所から指令を送って記憶手段３が記憶している確定電力量及び確定時刻を確認すればよい。
さらにまた、実施の形態１と同様に、表示手段４に表示するように構成すれば需要家自身でも表示を確認することができる。
【００２５】
以上のように、この実施の形態３の開閉装置付電力量計によれば、通信により電力供給を開始又は停止したときの確定電力量及び確定時刻を、その後さらに電力供給の開始又は停止があった後にも得ることができるので適正な課金処理ができる。したがって、需要家に対して課金する場合に需要家の納得が得られる。
【００２６】
なお、図１及び図４では、開閉手段７は計測手段１の負荷側に接続しているが、計測手段１の電力供給側に接続しても同様の効果を奏する。
【００２７】
なお、以上の実施の形態１から３の説明では、需要家が入退去する場合について述べたが、その他の事情により電力供給を停止したり開始したりする場合にも利用できることはいうまでもない。
【図面の簡単な説明】
【００２８】
【図１】この発明の実施の形態１の開閉装置付電力量計のブロック図である。
【図２】この発明の実施の形態２の記憶手段の記憶の構成例を示す図である。
【図３】この発明の実施の形態２の記憶手段の記憶の構成例を示す図である。
【図４】この発明の実施の形態３の開閉装置付電力量計のブロック図である。
【符号の説明】
【００２９】
１    計測手段
２    計時手段
３    記憶手段
４    表示手段
６    開閉手段
７    制御手段
８    所定の時間毎の累積電力量
１１  開閉履歴
１３  通信手段
１００、１０１  開閉装置付電力量計
【図１】
2006200915.tif 000003
【図２】
2006200915.tif 000004
【図３】
2006200915.tif 000005
【図４】
2006200915.tif 000006